(57)【要約】【課題】ユニフロー掃気大型２ストロークディーゼルエンジンのためのシリンダを提供すること。【解決手段】ユニフロー掃気大型２ストロークディーゼルエンジンのためのシリンダが、下死点位置と上死点位置との間を往復移動可能に配置されたピストン３であって、少なくとも１つの最上位ピストンリング３１を有するピストン３と、ピストン３をガイドするためのシリンダライナ４であって、走行面４１を有し、動作状態においてピストンの最上位ピストンリング３１が走行面４１に沿ってスライドするシリンダライナ４と、シリンダカバー５であって、シリンダカバー５及びピストン３は燃料の燃焼空間６と隣接しているシリンダカバー５とを有し、シリンダライナ４は、最上位ピストンリングの上死点位置Ｏの下に冷却剤ボアを有さない。更に大型のディーゼルエンジンが提案される。【選択図】図１
2017166486.tif 000002
【特許請求の範囲】
【請求項１】
ユニフロー掃気大型２ストロークディーゼルエンジンのためのシリンダであって、
下死点位置と上死点位置との間を往復移動可能に配置され、少なくとも１つの最上位ピストンリング（３１）を有するピストン（３）と、
前記ピストン（３）をガイドするためのシリンダライナ（４）であって、走行面（４１）を有し、動作状態において前記走行面に沿って前記ピストンの前記最上位ピストンリング（３１）がスライドする、シリンダライナ（４）と、
シリンダカバー（５）であって、前記シリンダカバー（５）及び前記ピストン（３）が燃料の燃焼空間（６）の境界となっている、シリンダー（５）と
を有するシリンダにおいて、
前記シリンダライナ（４）は、前記最上位ピストンリングの上死点位置（Ｏ）の下に冷却剤ボアがなく、且つ前記最上位ピストンリング（３１）の前記上死点（Ｏ）の下で前記シリンダライナ（４）を取り囲む空気のみによって冷却可能であることを特徴とする、シリンダ。
【請求項２】
前記シリンダライナ（４）は、シリンダ軸線により決定される軸方向（Ａ）に関して、前記燃焼空間（６）の下で終端している、請求項１に記載のシリンダ。
【請求項３】
前記シリンダライナ（４）は、前記軸方向（Ａ）に関して上端まで延び、前記上端は、前記軸方向（Ａ）に関して前記最上位ピストンリング（３１）の前記上死点位置（Ｏ）と一致する、請求項１から２までのいずれか１項に記載のシリンダ。
【請求項４】
前記シリンダライナ（４）はカラー領域（４３）を有する、請求項１から３までのいずれか１項に記載のシリンダ。
【請求項５】
前記シリンダライナ（４）とは異なる材料で製造される管状の中間片（４５）が前記シリンダライナ（４）の前記上端と前記シリンダカバー（５）との間に設けられる、請求項１から４までのいずれか１項に記載のシリンダ。
【請求項６】
前記最上位ピストンリング（３１）は、その上死点位置（Ｏ）が前記シリンダライナ（４）の領域内にあるように、且つ前記シリンダライナ（４）の動作温度が好ましくは２５０℃から３５０℃までである予め定義可能な温度範囲内にあるように前記軸方向（Ａ）に関して配置される、請求項１から５までのいずれか１項に記載のシリンダ。
【請求項７】
流体冷却媒体のための冷却剤ライン（５１、５２）が、前記最上位ピストンリング（３１）の前記上死点位置（Ｏ）の上に設けられる、請求項１から６までのいずれか１項に記載のシリンダ。
【請求項８】
好ましくは水である液体冷却媒体のための冷却剤ライン（５１、５２）が、前記最上位ピストンリング（３１）の前記上死点位置（Ｏ）の上に設けられる、請求項１から７までのいずれか１項に記載のシリンダ。
【請求項９】
前記冷却剤ライン（５１、５２）は、前記シリンダカバー（５）又は前記シリンダライナ（４）内に設けられた冷却剤ボア（５１）を有する、請求項７又は請求項８に記載のシリンダ。
【請求項１０】
請求項１から９までのいずれか１項に記載のように構成されたシリンダ（２）を有するユニフロー掃気大型２ストロークディーゼルエンジン。
【請求項１１】
前記最上位ピストンリング（３１）の前記上死点（Ｏ）の前記領域の前記シリンダライナ（４）へ冷却空気を供給可能なファン（１１）を有する請求項１０に記載の大型ディーゼルエンジン。
【請求項１２】
前記シリンダライナ（４）を空気流から遮蔽可能な遮蔽体が設けられる、請求項１０又は１１に記載の大型ディーゼルエンジン。
【請求項１３】
前記シリンダライナは、管状要素（１２）によって少なくとも一部が取り囲まれて、前記管状要素（１２）内に冷却空気が導入可能である、請求項１０から１１までのいずれか１項に記載の大型ディーゼルエンジン。
【請求項１４】
ガスの燃焼のため及び液体燃料、特にディーゼル油又は重油の燃焼のためのデュアルフューエルエンジンとして構成される、請求項１１から１３までのいずれか１項に記載の大型ディーゼルエンジン。
【発明の詳細な説明】
【技術分野】
【０００１】
本発明は、それぞれのカテゴリの独立請求項の前提部分に記載したユニフロー掃気大型２ストロークディーゼルエンジンのためのシリンダと、大型２ストロークディーゼルエンジンとに関する。
【背景技術】
【０００２】
ユニフロー掃気大型２ストロークディーゼルエンジンは、しばしば船舶の駆動装置として、又は、例えば電気エネルギーを生成するための大型発電機の駆動等の定置運転においても使用される。この点において、一般にエンジンはかなりの時間に亘り一定の動作で連続稼働し、このことが動作の安全性及び使用可能性に関する要求を高めている。特に、長い点検間隔、低い摩耗性、及び経済的な燃料の扱いは、操作者にとって中心的な基準である。
【０００３】
排気の質、特に排気内の亜酸化窒素の濃度もここ数年重要性を増す主要な側面となった。法的規制及び対応する排気制限値のための制限値は、ここ最近更に厳しくなっている。これは特に、大型２ストロークディーゼルエンジンに関し、汚染物質で強く汚染された従来の重油の燃焼だけでなく、ディーゼル油又は他の燃料の燃焼がより大きな問題となるという結果を招いている。その理由として、排ガス基準の順守がますます困難になり、技術的に複雑さが増しているため、費用が高くなってしまうこと、又は結局はそれらの順守がもはや経済的に合理的でないということが挙げられる。
【０００４】
実際に、いわゆる「デュアルフューエル」エンジン、即ち２つの異なる燃料を使用して作動され得るエンジンが既に長い間求められている。ガス、例えばＬＮＧ（液化天然ガス）を含む天然ガスや、液化石油ガスの形態又は燃焼機関を駆動するのに適した他の形態のガスなどはガスモードで燃焼され、一方ディーゼル燃料油又は重油のような適切な液体燃料は同じエンジンにおいて液体モードで燃焼され得る。
【０００５】
本願の枠組み内の「大型ディーゼルエンジン」という用語は、自己発火により特徴付けられるディーゼル運転に加え、外部から供給される点火により特徴付けられる、又はこれらの２つが混合された形態で運転され得るガソリン運転においても作動され得る大型ディーゼルエンジンも意味する。更に、大型ディーゼルエンジンという用語は、特に前記デュアルフューエルエンジン及び燃料の自己発火が外部から供給される異なる燃料の点火に使用される大型エンジンも含む。
【０００６】
液体モードにおいて、燃料は通常シリンダの燃焼室に直接導入され、そこで自己発火の原理に従い燃焼する。ガスモードでは、自己発火の原理に従い気体状態のガスを掃気と混合し、よってシリンダの燃焼空間内に引火性混合物を生成することが知られている。シリンダ内の混合物の点火は、少量の液体燃料がシリンダの燃焼空間又は予燃室に適切な時期に噴射されるという点でこの低圧プロセスにおいて発生し、空気ガス混合気の点火をもたらす。動作の間、デュアルフューエルエンジンはガスモードから液体モードへの切り替え、又はその逆も可能である。
【０００７】
ユニフロー掃気大型２ストロークディーゼルエンジンは少なくとも１つのシリンダを有するが、通常は複数のシリンダを有しており、各シリンダには上死点位置と下死点位置との間を往復して移動可能に配置されたピストンが設けられ、ピストンは少なくとも１つの最上位（ｔｏｐｍｏｓｔ）ピストンリングを有するが、しばしば複数のピストンリングも有する。シリンダは更にピストンをガイドするシリンダライナを有し、シリンダライナの内側に位置する境界面が走行面を形成し、動作状態においてこの走行面に沿って１つ又は複数のピストンリングがスライドする。ピストンの上部境界面と共に燃料の燃焼空間の境界を定めるシリンダカバーが更に設けられる。ディーゼル運転においてピストンが大型ディーゼエンジンの動作の間に上死点位置又は反転位置の領域にある時、燃料が燃焼空間に噴射され、点火してピストンの下方移動を推進する。更に出口弁がユニフロー掃気大型２ストロークディーゼルエンジンのシリンダカバーに設けられ、燃料の燃焼の後にピストンの下方移動に関して開かれる。ピストンが下死点位置又は下方反転位置に近づくと、それはシリンダの下方領域に通常設けられる掃気スリットを通過し、よって給気とも呼ばれる掃気の燃焼空間への流入を可能にする。その後の上方移動では、ピストンは再び掃気スリットと燃焼空間との間のフロー連通路を閉じ、出口弁が閉じられ、ピストンの更なる上方移動ではシリンダに位置する掃気は次の液体燃料の噴射がピストンの上死点位置の領域で発生するまで圧縮される。
【０００８】
可能な限り効率的で、低汚染且つ経済的である大型ディーゼルエンジンの動作に対し、シリンダライナの走行面、ピストンリング及び適切な潤滑油を有するトライボロジー装置が可能な限り最適な方法で調節されることが重要である。燃焼プロセスで生じる高温により、例えば構造物へのひび割れ等の走行面又はシリンダライナへの熱的に誘導される損害を回避するためにシリンダライナは通常冷却される。この目的のため、シリンダライナは一般に水である液体冷却媒体により冷却され、シリンダライナから熱を放散させることが知られる。このプロセスにおける冷却剤は、ポンプによりシリンダライナの冷却剤ボア又は冷却剤ラインを通して循環され、走行面から熱を抽出する。
【０００９】
特に重油が液体燃料として使用される場合、シリンダライナ、及び特にその走行面は、重油の燃焼に関して生じる化学的に攻撃的な物質からの攻撃にしばしば曝される。硫黄を含む燃料の燃焼に関して生じる硫黄化合物が本明細書では実例として指定される。走行面に配置されて走行面を攻撃可能な、すなわち亜硫酸又は硫酸が走行面の温度に応じて形成される。
【００１０】
従って、走行面の温度を設定し、そのような酸の攻撃を冷却媒体の助けにより適切な冷却剤により回避又は減少させ、その結果温度を水又は硫酸等の飽和温度より上に維持するための努力がなされている。水、亜硫酸又は他の攻撃的物質の凝縮は、走行面を攻撃し、走行面を最大のリスクに曝すメカニズムとして知られる。
【００１１】
しかし、走行面温度のこの設定は、いくつかの困難と関連する。走行面への最大の入熱は当然燃焼空間に最も近い走行面の領域で発生する。特にこれは最上位ピストンリングの死点位置に隣接する又はその下に位置する領域でもあり、その理由は、この領域はピストンの下方移動に関してまだ大変熱く且つまだ高圧である燃焼ガスと接触し、その結果シリンダライナの過熱を回避するためにここで通常水冷が提供されるためである。対照的に、冷却は更に下方に位置するシリンダライナの領域ではそれほど大きくしなくてもよく、その結果水の飽和点は可能であれば低下しない。
【００１２】
従って、一方でシリンダライナの上部領域における十分な冷却効果を確実にするため、他方で水又は酸等の他の流体の飽和点より上に走行面の温度を維持する目的で、水冷及び空冷の汚染に基づく大型２ストロークディーゼルエンジンにおけるシリンダライナのための高度に複雑な冷却システムが開発されてきた。これらの知られたシステムはそれらの複雑さに加え、更に欠点を有する。例えば大型のディーゼルエンジンが全負荷電力の１０％等の低い部分的負荷運転で作動される場合、燃焼プロセスによる走行面への加熱電源入力が小さすぎるため、冷却水は走行面を水の飽和点より上の温度に維持するために更に加熱されなければならない。これは更なる装置労力と更なるエネルギー要求を意味する。
【発明の概要】
【発明が解決しようとする課題】
【００１３】
上記の従来技術から、本発明の目的は、必要とされる攻撃的物質の攻撃に関する保護に妥協をせず、装置の観点から可能な限り少ない複雑さ及び／コストを有するシリンダライナの走行面の冷却が提供される、ユニフロー掃気大型２ストロークディーゼルエンジンのためのシリンダを提供することにある。
【課題を解決するための手段】
【００１４】
この目的を満足する発明の主題はそれぞれのカテゴリの独立請求項の特徴によって特徴付けられる。
【００１５】
本発明によると、ユニフロー掃気大型２ストロークディーゼルエンジンのためのシリンダが提供され、このシリンダは、下死点位置と上死点位置との間を往復移動可能に配置された、少なくとも１つの最上位ピストンリングを有するピストンと、走行面を有し、動作状態においてその走行面に沿ってピストンの最上位ピストンリングがスライドするシリンダライナと、シリンダカバーであって、このシリンダカバー及びピストンは燃料の燃焼空間と隣接しているシリンダカバーとを有し、またシリンダライナは、最上位ピストンリングの上死点位置の下に冷却剤ボアを有していない。
【００１６】
このプロセスにおいてシリンダライナに生じる熱的に誘導される損害なしに、シリンダライナが最上位ピストンリングの上死点位置の下に水等の液体冷却媒体のための冷却剤ボアを有さないユニフロー掃気大型２ストロークディーゼルエンジンに、シリンダを設けることが可能であるという認識は重要である。
【００１７】
この文脈での最上位ピストンリングの死点位置は、ピストンがその移動の上死点位置にある時に、最上位ピストンリングの上端、即ち燃焼空間に最も近い端部が位置するシリンダライナにおける位置を意味する。
【００１８】
ボア又は冷却液を導く同等の手段が最上位ピストンリングのこの死点位置の下のシリンダライナに設けられないため、シリンダライナのより簡単な構造及び実質的に単純なデザインがもたらされる。更に、追加のポンプ装置、又はシリンダライナのこの領域を通って冷却液を循環させる、若しくはその温度を制御するのに必要と思われる温度制御装置も免除することができる。よってシリンダライナのコスト並びにエネルギーコスト及び装置労力が削減され得、よって大型のディーゼルエンジンのより経済的且つよりエネルギー消費の少ない運転がもたらされる。
【００１９】
シリンダライナは、好ましくは最上位ピストンリングの上死点の下のシリンダライナを取り囲む空気のみにより冷却可能であるか、冷却される。冷却ジャケット又は冷却のために知られる他の方策も特に必要でない。よってシリンダライナは、シリンダライナの周囲の空気に放射熱を出力するという点で、最上位ピストンリングの死点位置の下のみにおいて冷却される。
【００２０】
好ましい実施例によると、シリンダのシリンダライナは、シリンダ軸線により固定される軸方向に関して燃焼空間の下でシリンダライナが終端するようにデザインされる。これによりシリンダライナのデザインは特に単純となる。
【００２１】
この点について、シリンダライナは軸方向に関して上端まで延びることが好ましく、この上端は軸方向に関して最上位ピストンリングの上死点位置と一致するものである。よってシリンダライナは、軸方向に関し、最上位ピストンリングの上死点位置が正に位置する場所で終端する。シリンダライナは特に単純なデザインを有することができ、ピストンのガイドの役割のみを果たすが、燃焼空間の境界の役目は果たさない。それによりシリンダライナ全体は、冷却剤ボア、又は冷却ジャケット等の冷却を目的とする他の方策のない単純な方法で構成され得る。
【００２２】
他の実施例において、シリンダライナはカラー領域を有する。よってこの実施例において、シリンダライナは軸方向に関し最上位ピストンリングの上死点位置を超えて延びる。この点においてカラー領域が大変長く上方に延在するため、カラー領域は、燃焼空間が最少体積を有する時、即ちピストンが上死点位置にある時、燃焼空間の境界を形成することが可能である。この点においてこのカラー領域は通常、シリンダライナの残りよりも厚い壁厚を有するように構成され、その結果特に燃焼空間に存在する圧力にも耐えることができる。又この実施例においてシリンダライナは最上位ピストンリングの死点位置の下の領域でシリンダライナを取り囲む空気のみにより冷却され、そこでは更なる冷却方策、特に水等の液体冷却媒体により冷却がカラー領域において提供される。
【００２３】
シリンダライナは通常、ねずみ鋳鉄から製造される。その結果、シリンダライナの熱耐性が燃焼空間に最も近い領域において上回らないように、いくつかの用途ではシリンダライナと異なる材料で製造される管状の中間片がシリンダライナの上端とシリンダカバーとの間に設けられれば有利であり得る。この材料は基準に従い第一に選択されるため、実質的な劣化効果なしに高温に耐えることができる。
【００２４】
最上位ピストンリングは、上死点位置がシリンダライナの領域内にあるように、且つ動作温度が好ましくは２５０℃から３５０℃である予め定義可能な温度範囲内にあるように軸方向に関して配置されることは好ましい方策である。最上位ピストンリングの位置はパーセントで、又はピストンのストロークに関連して決定される必要はなく、むしろシリンダライナの走行面の作動温度を使用して決定され、作動温度とはシリンダライナの走行面が大型ディーゼルエンジンの全負荷運転に達する作動温度を意味する。この方策は特に軸方向の高さにおいて、ピストンのはるかに柔軟性のあるデザインを可能にする。
【００２５】
燃焼空間における燃料の燃焼から生じる熱をできるだけ完全にシリンダから外へ導くため、流体冷却媒体のための冷却剤ラインが最上位ピストンリングの上死点位置の上に設けられれば有利な方策である。
【００２６】
この点において、好ましくは水である液体冷却媒体のための冷却剤ラインが最上位ピストンリングの上死点位置の上に設けられれば特に好ましい。よってこの実施例において、冷却システムは２つの異なる部分を有し、即ち軸方向に関し最上位ピストンリングの上死点の下に位置し、純粋な空気冷却が提供される領域と、特に水である液体媒体により更に冷却が提供される最上位ピストンリングの上死点の上の領域である。
【００２７】
冷却剤ラインはシリンダカバー又はシリンダライナ内に設けられる冷却剤ボアを有することが、最上位ピストンリングの上死点位置より上の領域における冷却にとって好ましい。
【００２８】
本発明に従い構成されたシリンダを有するユニフロー掃気大型２ストロークディーゼルエンジンが本発明により更に提供される。
【００２９】
用途によっては、冷却空気を最上位ピストンリングの上死点の領域内のシリンダライナへ供給可能なファンが大型ディーゼルエンジンに設けられれば有利であり得る。ファンは別体のファンでもよく、又はターボチャージャーにより吸引される空気によるエンジンルームの真空の形成を回避するため、例えば新鮮な空気がエンジンルームに導入されるファン等の大型ディーゼルエンジンに既に存在するファンによりこの冷却空気が運搬されることも可能である。
【００３０】
そのような既に存在するファンが、シリンダライナを冷却し過ぎてその結果例えば水の飽和点が低下すると思われる冷却空気流を生成する場合、シリンダライナを空気流から遮蔽可能な遮蔽体が設けられれば有利であり得る。
【００３１】
シリンダライナは、冷却空気が導入可能な管状要素により少なくとも一部が取り囲まれても有利であり得る。この管状要素は例えばファンとフロー連通することができ、その結果冷却空気が冷却を必要とする領域に直接導かれる。
【００３２】
本発明により大型ディーゼルエンジンは特にガスの燃焼及び液体燃料、特にディーゼル燃料油又は重油の燃焼のためのデュアルフューエルエンジンとしても構成され得る。
【００３３】
本発明の更なる有利な方策及び実施例は従属請求項から得られる。
【００３４】
本発明は実施例及び図面を参照して以下により詳細に説明されるであろう。図面において、以下のことが示される。
【図面の簡単な説明】
【００３５】
【図１】本発明によるシリンダの第１の実施例を有する、本発明による大型２ストロークディーゼルエンジンの実施例を通した長手方向断面図である。
【図２】本発明によるシリンダの第１の実施例の変形例の上部領域を通る長手方向断面図である。
【図３】本発明によるシリンダの第２の実施例を通る長手方向断面図である。
【図４】本発明によるシリンダの第３の実施例を通る長手方向断面図である。
【図５】本発明によるシリンダの実施例の変形例の上部領域を通る軸方向に垂直な断面図である。
【発明を実施するための形態】
【００３６】
図１は本発明によるユニフロー掃気大型２ストロークディーゼルエンジンの実施例を通る長手方向断面図を示し、そのディーゼルエンジンは全体として参照番号１が付され、本発明によるシリンダ２の第１の実施例を有する。この点において、発明の理解に対する要素物質のみが図１に示される。液体燃料噴射装置、エンジンブリージング装置、排ガスシステム又は掃気や給気を供給するターボチャージャー装置、及び大型ディーゼルエンジンのための監視及び制御システムのような大型ディーゼルエンジン１の基本的なデザイン及び個々の要素は当業者に十分知られているため、更なる説明を必要としない。そのような要素の表示は図１を大幅に明確にするため免除される。
【００３７】
大型のディーゼルエンジン１は少なくとも１つのシリンダを有するが、通常は複数のシリンダ２を有し、そのうちの１つのみが図１の長手方向断面図に示される。シリンダ２は以下において軸方向Ａと呼ばれる方向を定めるシリンダ軸線を有する。「上方」、「下方」、「上に」、「下に」又は類似語等の相対的な用語は常に図１に示される大型ディーゼルエンジンの通常の使用位置に関連する。
【００３８】
ピストン３はそれ自体知られた方法でシリンダ２に設けられ、下死点位置又は下方反転位置と、上死点位置又は上方反転位置との間で往復移動可能に配置される。更にシリンダ２は、軸方向Ａに延びるシリンダライナ４であって、内側に配置された境界面がピストン３をピストン３の移動に関してガイドする走行面４１を形成するシリンダライナ４を有する。更にシリンダ２を上端で終端させるシリンダカバー５が設けられる。シリンダカバー５及びピストン３は、図示しない噴射装置により燃料が導入され得る燃焼空間６と隣接し、境界をなす。燃料の導入は通常、ピストン３が上死点位置の領域に配置される時に生じる。
【００３９】
ピストン３は少なくとも１つのピストンリングを有するが、好ましくは複数のピストンリングであり、そのうち燃焼空間６に最も近いものが最上位ピストンリング３１と呼ばれる。正確に１つのピストンリングのみがピストン３に設けられるとすれば、当然それは最上位ピストンリング３１である。大型ディーゼルエンジン１の作動の間、最上位ピストンリング３１でもあるピストンリングは走行面４１に沿って上下にスライドする。十分に知られているように、それらの最重要の機能は燃焼空間６のシールであり、その結果燃料の燃焼に関して発生するエネルギーはできるだけ理想的な方法でピストン３の運動エネルギーに転換される。
【００４０】
ピストン３はそれ自体知られた方法でピストンロッド７を介してクロスヘッド８に連結され、クロスヘッド８は図示しないクランクシャフトに連結ロッド９を介して連結される。ユニフロー掃気大型ディーゼルエンジン１に慣例となっているように、シリンダライナ４は下部領域に掃気スリット４２を有し、掃気スリット４２を通して給気とも呼ばれる掃気がシリンダに供給され得る。
【００４１】
動作状態において、液体燃料は一般にピストン３が上死点位置に到達する直前に燃焼空間６に噴射される。燃料は発火し、ピストン３は燃焼プロセスにおいて生じる圧力により下方に加速される。通常シリンダカバー５の中央に配置される出口弁であって、それを通して燃焼ガスが燃焼空間６から排ガスシステム１０へ漏れ出ることができ、これ以上詳細に示されない出口弁が下方移動の間に開かれる。
【００４２】
ピストン３が下方移動において掃気スリット４２を通過する時にフロー連通路を開き、その結果新鮮な給気がシリンダ２又は燃焼空間６に移動できる。その後のピストン３の上方移動において、ピストン３は再び掃気スリット４２を通過し、よって燃焼空間６へのフロー連通路を閉じ、その結果更なる給気が掃気スリット４２を通って燃焼空間６へ流れない。ピストン３の更なる上方移動において、出口弁は閉じられ、その結果シリンダ２内の空気がその後圧縮される。ピストン３が上死点位置に到達する少し前に、燃料は次のサイクルが開始できるように再び燃焼空間６に噴射される。
【００４３】
本発明によると、シリンダライナ４は少なくとも最上位ピストンリング３１の上死点位置Ｏの下に冷却剤ボアがない（ボアフリーである）。この点において、最上位ピストンリング３１の上死点位置Ｏは、ピストン３が上死点位置にある時、燃焼空間６に最も近く配置された端部である最上部のピストンリング３１の上端部が配置される軸方向Ａの位置又は高さを意味する。
【００４４】
シリンダライナ４は特に好ましくは、最上部ピストンリング３１の上死点位置Ｏの下でシリンダライナ４を取り囲む空気のみにより冷却される。従って、特に例えば水のような液体媒体によりシリンダライナ４から熱を抽出する、又はシリンダライナ４と液体媒体との間の熱交換を可能にする冷却ジャケット又は他の装置も設けられない。よってシリンダライナ４は、例えば放射により上死点位置Ｏの下でシリンダライナ４を取り囲む空気へ熱を出力するのみである。
【００４５】
図１による実施例に示されるように、シリンダライナ４はピストン３が上死点位置にある時、軸方向Ａに関して燃焼空間６の真下で終端する。燃焼空間６が最大まで圧縮された時、燃焼空間はシリンダライナ４ではなく、シリンダカバー５及びピストン３と隣接するのみである。特にシリンダライナ４は、軸方向Ａに関して最上位ピストンリング３１の上死点位置Ｏと一致する上端まで延びる。この実施例において、シリンダライナ４は例えば冷却ジャケットのような熱交換のための冷却剤ボアや他の装置が全くない。シリンダライナ４はまた最大限に圧縮された燃焼空間６の下又は下方境界面で終端し、よって燃焼空間６内で燃焼プロセスに直接曝されないため、本実施例におけるシリンダライナ４は上端においてシリンダライナの残りよりも厚い壁厚を有するカラー領域を有さない。よってシリンダライナ４はピストン３をガイドすること、及び回転防止パートナーとしてピストンリングをシールすることに貢献する機能のみを有するが、燃焼プロセス中の燃焼空間６の境界の役割は果たさない。よってシリンダライナ４は実質的にピストンのガイド及びシール管である。
【００４６】
この点における主要な観点は、最上部ピストンリング３１の上死点位置Ｏの下でシリンダライナ４を冷却すること、又は図１による実施例において、シリンダライナ４に熱的損害を与えることなく空気によってのみシリンダライナ４全体を冷却することが可能であるとの認識である。
【００４７】
一般に、例えば水のような冷却液を最上部ピストン３１の上死点位置Ｏの下の領域において使用しないことは、従来の冷却構想に比べて作動中に走行面４１の温度を上昇させる結果となる。この上昇した走行面温度により効果的に回避され得ることは、亜硫酸又は他の攻撃的な液体の、走行面４１における水の飽和点の低下である。
【００４８】
シリンダライナ４は知られたシリンダライナと比較して特に単純である実施例によって特徴付けられ、より簡単及び安価に製造できる。最上位ピストンリング３１の上死点位置Ｏの下で例えば水等の液体媒体を使用した冷却はないため、即ちずっと少ない液体冷却媒体が循環する必要があるため、大型ディーゼルエンジン全体に対する大幅に少ない液体冷却媒体が全般的に必要となり、よって冷却ポンプのエネルギー消費が減少される。また用途に応じて冷却ポンプの数も減少され得、それはコストを更により減少させる。よって全体のエンジンのよりよいエネルギー効率が全般にもたらされる。飽和点より下への低下が有効に回避されるため、特にピストン３の上死点位置における走行面４１のより高い動作温度により腐食のリスクが大幅に低下され得る。よって高いＢＮ（塩基価）を有する潤滑油の要求又は消費も低下する。ＢＮは例えば亜硫酸等の酸を中和する潤滑油の性能の測定値である。例えば硫黄を多く含む重油のような燃料と共に通常使用される必要がある高いＢＮを有する潤滑油は一般に高価な物質であるため、要件の減少は顕著なコスト削減を生じさせる。
【００４９】
図１に示されるシリンダライナ４の実施例では、シリンダライナ４は軸方向Ａに関して最上位ピストンリング３１の上死点位置Ｏで既に終端しているため、シリンダカバー５は従来の大型の２ストロークディーゼルエンジンにおけるシリンダよりも軸方向に関して更に下方に、即ちシリンダライナ４の上端まで延在している。燃焼空間６はこの方策により実質的に燃焼プロセスの間ピストン３とシリンダカバー５によって境界を定められる。シリンダカバー５は、特に水である液体冷却媒体を使用するか、シリンダカバー５内の冷却剤ボアを通して循環する空気により、又は特に水である冷却液を使用する冷却と空気による冷却とを有する組み合わされた冷却システムにより大型ディーゼルエンジン１の動作の間に積極的に冷却されることが理解される。
【００５０】
例えば冷却ジャケットを形成する流体冷却媒体のための冷却剤ラインが、最上位ピストンリングの上死点Ｏの上にこの目的で設けられ得る。好ましくは冷却材が循環するボアとして構成される液体冷却媒体のための冷却剤ラインが、特に最上位ピストンリング３１の上死点位置Ｏの上に設けられ得る。
【００５１】
よって２部分の冷却構想がシリンダ２の全体において実施される。シリンダライナ４の純粋な空気冷却が、シリンダライナ４がそれを囲む空気のみによって冷却され、特に冷却剤ボア又は冷却空気ボアがないという意味で最上位ピストンリング３１の上死点位置Ｏの下に提供される。積極的な熱が例えば水等の液体媒体か、例えば圧縮空気のような空気又は冷却剤ボアを通して導かれる、若しくは特にシリンダカバー５においてシリンダ２に作用するファンにより生成される空気流のどちらかによりここで外に導かれるという意味において、積極的な冷却が最上位ピストンリング３１の上死点位置Ｏの上に提供される。
【００５２】
シリンダ２の第１の実施例の変形例の上部領域を通した長手方向断面図が図２に示される。この変形例において、複数の冷却剤ライン５１がシリンダカバー５内に設けられ、冷却剤ライン５１のそれぞれはシリンダカバー５内のボアとして構成され、それを通して特に水のような好ましくは液体冷却媒体である流体冷却媒体が導かれてシリンダカバーから熱を抽出できる。例えば、冷却媒体は図示しないポンプにより冷却剤ライン５１を通って搬送され得る。
【００５３】
本発明によるシリンダ２の第２の実施例を通した長手方向断面図が図３に示される。第１の実施例との相違点のみが以下に見受けられるであろう。第１の実施例に関する説明もそのように同じ方法で第２の実施例へ当てはまる。
【００５４】
第２の実施例において、シリンダライナ４は、シリンダライナ４の上端が最上位ピストンリング３１の上死点位置Ｏの上に配置されるようなところまで軸方向Ａに延びる。上端は、燃焼空間６が最少体積（最大の圧縮）を有する時、燃焼空間６の下にある。更に、変形例が本明細書に示され、変形例ではシリンダライナ４が上端の領域においてカラー領域４３を有し、このカラー領域においてシリンダライナ４の壁厚は下方領域より厚い。カラー領域４３又はシリンダライナ４は、ピストン３が上死点位置にある時、即ち燃焼空間６が最少体積を有する時に燃焼空間６の境界を形成するようなところまで軸方向Ａに上方に延びることも当然可能である。この第２の実施例においても、シリンダライナ４は最上位ピストンリング３１の上死点位置Ｏの下でシリンダライナ４を囲む空気のみにより冷却される。例えば水冷却のような追加の冷却方策が、シリンダライナ４又はその内部、及びシリンダカバー５又はその内部の両方で上死点位置Ｏの上に設けられてもよい。図３が示すように、実質的にリング形状の冷却ジャケット５２が第２の実施例において設けられ、冷却ジャケットはシリンダカバー５の外周面を囲み又シリンダライナ４の上端と接触する。好ましくは水である流体冷却剤は、それ自体知られた方法でこの冷却ジャケットを通して運搬され、シリンダカバー５から、又はシリンダライナ４の上端から熱を抽出する。この実施例において、例えばシリンダカバー５内のボアの形態及び／又はシリンダライナの領域内の冷却剤ラインが、付加的又は代替的に最上位ピストンリング３１の上死点位置Ｏの上に設けられてもよいことが理解される。
【００５５】
本発明によるシリンダ２の第３の実施例を通る長手方向断面図が図４に示される。第１の実施例及び第２の実施例との相違点のみが以下に見受けられるであろう。第１の実施例及び第２の実施例についての説明もそのように同じ方法で第３の実施例に当てはまる。
【００５６】
第１の実施例のように、第３の実施例では、シリンダライナ４の上端は軸方向Ａに関する最上位ピストンリング３１の上死点位置Ｏと同じ位置に配置される。第３の実施例において、管状の中間片４５が更にシリンダライナ４の上端とシリンダカバー５との間に設けられ、その中間片はシリンダライナ４と異なる材料から製造される。シリンダライナ４は通常、ねずみ鋳鉄合金から製造される。ほとんどのねずみ鋳鉄合金はその耐熱性のためおよそ３００℃以上で長時間加熱してはならないが、用途に応じて、中間片４５を最上位ピストンリング３１の上死点位置Ｏの上の領域に設けることは有利であり得る。その理由は、燃焼空間６の燃焼プロセスによりこの領域において最大の入熱が生じ、且つこの領域がシリンダライナ４に関して最も高温に曝されるためである。
【００５７】
この中間片４５は好ましくはシリンダライナ４が製造される材料よりも高い耐熱性を有する材料から製造されることが理解される。例えば低合金鋼又は鋳鋼が、シリンダライナ４の中間片４５に適する。中間片４５に適する他の材料はシリンダカバー５が製造される材料であり、例えば１６ＣｒＭｏ４４やＧＳ１５Ｍｏ３である。第３の実施例において、例えばシリンダカバー５のボアの形態及び／又はシリンダライナの領域内の冷却ライナ又は冷却ジャケットが、当然最上位ピストンリング３１の上死点位置Ｏの上に設けられてもよい。
【００５８】
しかし、中間片４５はシリンダライナ４と同じ材料、即ち例えばねずみ鋳鉄合金から製造されてもよい。この点について中間片が積極的に冷却されれば好ましい。
【００５９】
図５は全ての実施例と関連して設けられ得る、本発明によるシリンダ２の実施例の変形例の上部領域を通る軸方向に垂直な断面図を示す。この変形例により、冷却空気はファン１１により中間片４５及び／又はシリンダライナ４の上端部領域、即ち最も高温に曝される端部領域へ供給される。この点において、少なくともシリンダライナ４の上部領域及び／又は中間片４５を囲み、図５に示す参照符号なしの矢印のようにファン１１からの空気が吹き込まれる管状要素１２を設けることが有利であり得る。ファン１１はこの点において、追加のファン１１と、大型のディーゼルエンジン１が配置されるエンジンルームにとにかく設けられるファン１１との両方であってもよい。そのようなファンは通常大型のディーゼルエンジン１のセクタで使用され、新鮮な空気を大型のディーゼルエンジンが配置されるエンジンルームへ供給する。この方策は特に、１つ又は複数のターボチャージャーを通した空気の取入れがエンジンルームを真空にしないようにするため通常必要である。そのようなファン１１により運ばれた空気の一部は、例えば管状要素１２への導入に使用され得る。
【００６０】
一方、冷却する空気流による作用のため走行面４１がその領域において冷たくなり過ぎるのを防止するため、特に走行面の温度が水又は亜硫酸の飽和点より下がることを防止するため、シリンダライナ４の冷却領域をそのような既存のファンからの空気流から直接遮蔽することも有利であり得る。遮蔽体は大型のディーゼルエンジンの適切な位置において、又はこの目的のためファンにおいても設けられてもよい。
【００６１】
本発明による構成は特に、最上位ピストンリング３１の上死点位置Ｏがシリンダライナの走行面４１の動作温度に依存して選択されることを可能にする。その温度はこの点において、大型のディーゼルエンジン１の全負荷動作に存在する動作温度を意味する。これは、動作温度が予め定義可能な温度範囲にある走行面４１の領域内に上死点位置Ｏが配置されるように、最上位ピストンリング３１が軸方向Ａに関して配置されることを意味する。好ましい実施例では、この温度範囲は２５０℃から３５０℃、特に２８０℃から３３０℃である。よって最上位ピストンリング３１の上死点位置Ｏは、以前は一般に普通であったようにピストン３のストロークの比率（上死点位置と下死点位置の距離）において決定されず、代わりにピストン３が上死点位置にある時に最上位ピストンリング３１が配置される領域において必要とされる温度に依存して決定される。
【００６２】
ピストンリング位置を走行面４１の動作温度に適応させることによりピストンリングの数を減らすことも可能である。この点において、２つのピストンリング又は１つのピストンリングのみを有する実施例が可能である。利点はピストン３が通常より低い高さで組み立てられ得るピストンリングの数を減らすことより更に生じる。軸方向Ａの範囲はこの点においてピストン３の高さを意味する。
【００６３】
本発明によるユニフロー掃気大型２ストロークディーゼルエンジン１は特に、ガスの燃焼及び液体燃料、特にディーゼル燃料油又は重油の燃焼のためのデュアルフューエルエンジンとして構成されてもよい。
【００６４】
１つ又は複数の燃料噴射ノズル（図示せず）が液体燃料の導入のために設けられ、例えば出口弁の近くのシリンダヘッドに配置される。ガス注入管を有する少なくとも１つのガス注入弁を有するガス供給システム（図示せず）が、ガスモードにおけるガス供給のために設けられる。ガス注入管は通常シリンダの壁に、例えばピストンの上死点と下死点の間のおよそ中間の高さに設けられる。
【００６５】
ガスモードの間、ガスのシリンダの燃焼空間への導入に関して好ましい変形例が複数存在する。上記に既に述べたように、ガスがシリンダに導入され、そこで掃気と混合されて引火性の空気ガス混合気を形成するようにシリンダライナに配置された、少なくとも１つのガス注入管を有するガス供給システムが設けられてもよい。
【符号の説明】
【００６６】
１  大型ディーゼルエンジン
２  シリンダ
３  ピストン
４  シリンダライナ
５  シリンダカバー
６  燃焼空間
７  ピストンロッド
８  クロスヘッド
９  連結ロッド
１０  排ガスシステム
３１  最上位ピストンリング
４１  走行面
４２  掃気スリット
４５  中間片
５１  冷却剤ライン
５２  冷却ジャケット
【図１】
2017166486.tif 000003
【図２】
2017166486.tif 000004
【図３】
2017166486.tif 000005
【図４】
2017166486.tif 000006
【図５】
2017166486.tif 000007